(57)【要約】【課題】配線コードの外部への露出を少なくしつつ音響変換部の位置調整を可能にする。【解決手段】支柱部２０の上ポール２２にスピーカ装置ＳＰが取り付けられる。下ポール２１の全体が管状部２１ｃとなっており、上ポール２２の全体が管状部２２ｃとなっている。電源供給部１４とスピーカ装置ＳＰとは配線コード２３で接続される。電源供給部１４から、下ポール２１及び上ポール２２の内部空間Ｓを通りスピーカ装置ＳＰに至るまでの経路が、配線コード２３が配設される配線経路となる。下ポール２１と上ポール２２とを相対的に摺動させることによって配線経路の長さＬ０を変化させることができる。配線コード２３のカール部２３ａは内部空間Ｓに配設される。【選択図】図２
2018078418.tif 000002
【特許請求の範囲】
【請求項１】
音響変換部と、
管状部を有し、前記音響変換部を支持する支持部と、
前記支持部に設けられた電源供給部と、
前記電源供給部から前記音響変換部までの間の配線経路の長さを変更可能な可変手段と、
カール状の部分を有し、前記配線経路に配設されて、前記電源供給部から前記音響変換部へ電源を供給するための配線コードと、を有し、
前記支持部の前記管状部の内部空間が前記配線経路の少なくとも一部を構成し、前記配線コードの前記カール状の部分は前記管状部の前記内部空間に配設されることを特徴とする音響変換部スタンド。
【請求項２】
前記可変手段が前記配線経路の長さを変更することにより、前記支持部による前記音響変換部の支持高さが変化することを特徴とする請求項１に記載の音響変換部スタンド。
【請求項３】
前記音響変換部はスピーカであることを特徴とする請求項１または２に記載の音響変換部スタンド。
【請求項４】
前記配線コードには、音響信号を伝えるためのコードが含まれることを特徴とする請求項１〜３のいずれか１項に記載の音響変換部スタンド。
【請求項５】
前記支持部は、管状の第１部材と、前記第１部材の内周側を摺動可能な管状の第２部材とを有し、
前記第１部材と前記第２部材との相対的な摺動によって前記配線経路の長さが変化し、
前記配線コードの前記カール状の部分は前記第１部材及び前記第２部材の少なくとも一方の内部空間に配設されることを特徴とする請求項１〜４のいずれか１項に記載の音響変換部スタンド。
【請求項６】
前記支持部は、前記管状部を有する支柱と、前記音響変換部を支持すると共に前記支柱に対する固定位置が可変に構成された腕部とを有し、
前記配線コードは、前記支柱の上端部近傍で折り返されて前記腕部に延設され、
前記可変手段は、前記支柱に対する前記腕部の固定位置を変化させることで前記配線経路の長さを変化させることを特徴とする請求項１〜４のいずれか１項に記載の音響変換部スタンド。
【発明の詳細な説明】
【技術分野】
【０００１】
本発明は、スピーカ等の音響変換部を支持する音響変換部スタンドに関する。
【背景技術】
【０００２】
従来、物品を支持するスタンドにおいて、支持高さを調節可能な伸縮スタンドが知られている（下記特許文献１）。このスタンドは、複数の支柱パイプを伸縮自在に連結し、支柱パイプを伸縮させることで物品の支持高さを変化させることができる。
【先行技術文献】
【特許文献】
【０００３】
【特許文献１】実用新案登録第３１５５５７４号公報
【発明の概要】
【発明が解決しようとする課題】
【０００４】
ところで、スピーカ等の音響変換部を高さ可変にスタンドに支持させる場合、電源供給や信号送受信のための配線コードを音響変換部まで配設する必要がある。音響変換部の支持に上記特許文献１のスタンドを用いた場合、音響変換部の高さは調節できるが、配線コードは基本的に外部に露出する状態となる。すると、外観を損ねるだけでなく、配線コードが踏まれたり引っ掛けられたりして損傷するおそれがある。また、音響変換部を楽器演奏に利用する場合は演奏の邪魔にもなる。また、スタンドを縮める際には配線コードが溜まってしまい、外観が良くないだけでなく邪魔にもなる。
【０００５】
本発明は上記従来技術の問題を解決するためになされたものであり、その目的は、配線コードの外部への露出を少なくしつつ音響変換部の位置調整を可能にすることができる音響変換部スタンドを提供することにある。
【課題を解決するための手段】
【０００６】
上記目的を達成するために本発明の請求項１の音響変換部スタンドは、音響変換部（ＳＰ）と、管状部（２１ｃ、２２ｃ）を有し、前記音響変換部を支持する支持部（２０）と、前記支持部に設けられた電源供給部（１４）と、前記電源供給部から前記音響変換部までの間の配線経路の長さ（Ｌ０）を変更可能な可変手段（１８、２１、２２、１９、２６、２８）と、カール状の部分（２３ａ）を有し、前記配線経路に配設されて、前記電源供給部から前記音響変換部へ電源を供給するための配線コード（２３）と、を有し、前記支持部の前記管状部の内部空間（Ｓ、Ｓ１、Ｓ２）が前記配線経路の少なくとも一部を構成し、前記配線コードの前記カール状の部分は前記管状部の前記内部空間に配設されることを特徴とする。
【０００７】
なお、上記括弧内の符号は例示である。
【発明の効果】
【０００８】
本発明の請求項１によれば、配線コードの外部への露出を少なくしつつ音響変換部の位置調整を可能にすることができる。
【０００９】
請求項２によれば、配線コードの外部への露出を少なくしつつ音響変換部の高さを変更できる。請求項３によれば、放音位置を可変にすることができる。請求項４によれば、音響信号用のコードについても外部への露出を少なくすることができる。請求項５によれば、構成を簡単にすることができる。請求項６によれば、支柱の設計の自由度が高くなる。
【図面の簡単な説明】
【００１０】
【図１】第１の実施の形態に係る音響変換部スタンドを含むスピーカシステムの斜視図（図（ａ））、側面図（図（ｂ））である。
【図２】下ポールと上ポールとの接続部分の縦断面図である。
【図３】第２の実施の形態に係る音響変換部スタンドを含むスピーカシステムの側面図である。
【図４】ポールの上端部近傍の縦断面図（図（ａ））、図４（ａ）のＡ−Ａ線に沿う断面図（図（ｂ））である。
【図５】変形例のスピーカシステムの側面図である。
【発明を実施するための形態】
【００１１】
以下、図面を参照して本発明の実施の形態を説明する。
【００１２】
（第１の実施の形態）
図１（ａ）、（ｂ）はそれぞれ、本発明の第１の実施の形態に係る音響変換部スタンドを含むスピーカシステムの斜視図、側面図である。このスピーカシステム１００は、音響変換部スタンドとしてのスタンド１０にスピーカ装置ＳＰが支持されて成る。スタンド１０は、平面視で略半円状の脚部１２と、支持部としての支柱部２０とを有する。脚部１２は床面に当接する。支柱部２０は、下ポール２１及び上ポール２２を有し、下ポール２１の下端部が脚部１２に固定されている。上ポール２２の上半部は側面視で略半円状に湾曲しており、湾曲した部分にＬＥＤ等の照明１３が取り付けられると共に、上ポール２２の先端部にはスピーカ装置ＳＰが取り付けられている。
【００１３】
スピーカ装置ＳＰは、左スピーカＳＰＬと右スピーカＳＰＲとを有するが、３チャンネル以上の構成としてもよい。スピーカ装置ＳＰは、音楽再生、楽器演奏再生のいずれにも用いることができる。スタンド１０には電源供給部１４が設けられる。電源供給部１４は例えば、脚部１２または下ポール２１に固定される。電源供給部１４は不図示の商用電源に接続される。電源供給部１４は、アンプ機能や信号処理機能を備えるメインユニットを含んでいてもよい。
【００１４】
図２は、下ポール２１と上ポール２２との接続部分の縦断面図である。下ポール２１及び上ポール２２はいずれも全体が管状に形成される。本実施の形態では、下ポール２１の全体が管状部２１ｃとなっており、上ポール２２の全体が管状部２２ｃとなっている。上ポール２２の真直な部分が下ポール２１の内周側を摺動可能に構成される。まず、下ポール２１の内径より上ポール２２の外形が僅かに大きく、上ポール２２が下ポール２１に挿通され、下ポール２１の内周面２１ａに対して上ポール２２の外周面２２ｂが摺動可能になっている。上ポール２２の内周面２２ａ及び下ポール２１の内周面２１ａの内側に内部空間Ｓが形成される。上ポール２２を貫通させた締結具１８で下ポール２１を押圧することで、下ポール２１に対する上ポール２２の上下方向の位置を固定できる。下ポール２１に対する上ポール２２の挿入深さを所望にして固定することで、支柱部２０全体の長さが調整可能になっている。従って、スピーカ装置ＳＰの高さ方向の配置位置を調整できる。
【００１５】
電源供給部１４とスピーカ装置ＳＰとは配線コード２３で接続される。電源供給部１４から、照明１３及びスピーカ装置ＳＰに電力が供給される。電源供給部１４から、下ポール２１及び上ポール２２の内部空間Ｓを通りスピーカ装置ＳＰに至るまでの経路が、配線コード２３が配設される配線経路となる。下ポール２１と上ポール２２とを相対的に摺動させることによって配線経路の長さＬ０を変化させることができる。締結具１８、下ポール２１及び上ポール２２が、配線経路の長さＬ０を変更可能な「可変手段」となる。配線コード２３には、スピーカ装置ＳＰに音響信号を伝えるためのコードが含まれていてもよい。配線コード２３の少なくとも一部は、カール状に（つる巻き状に）巻かれたカール部２３ａとなっている（図２）。カール部２３ａは内部空間Ｓに配設される。
【００１６】
配線コード２３は電源供給部１４とスピーカ装置ＳＰとを接続するので、配線コード２３のみかけ上の長さは配線経路の長さＬ０と同じである。下ポール２１に対する上ポール２２の摺動（支柱部２０の伸縮動作）によって両者の固定位置関係を変更すると長さＬ０が変化する。しかし、カール部２３ａが配線経路の延設方向に伸縮できるので、上ポール２２の位置の変化に応じてカール部２３ａが伸縮する。図１（ｂ）に示すように、みかけ上のカール部２３ａの長さは、最も縮まった状態でＬ１、最も延びた状態でＬ２である。このように、配線コード２３は、下ポール２１及び上ポール２２に内蔵されて外部へ露出しない。また、支柱部２０が伸縮しても、照明１３及びスピーカ装置ＳＰへの電力供給に支障がない。
【００１７】
このスピーカシステム１００の使用態様として次のようなものが想定される。例えば、脚部１２の半円形状の内側に椅子を置き、椅子に座って音楽を聴いたり、自身で楽器を演奏して演奏音を聞いたりする。また、椅子を置かずに脚部１２の半円形状の内側に立って音を聞く態様もある。椅子に座る場合と立つ場合とで、上述のように支柱部２０を伸縮させて適宜調整することで、スピーカ装置ＳＰを所望の高さへ調整できる。
【００１８】
本実施の形態によれば、支柱部２０の管状部２１ｃ、２２ｃの内部空間Ｓが配線経路を構成し、配線コード２３のカール部２３ａが内部空間Ｓに配設される。そして、配線経路の長さを変更するとスピーカ装置ＳＰの支持高さが変化する。これにより、配線コード２３の外部への露出を少なくしつつスピーカ装置ＳＰの位置（高さ）調整を可能にすることができる。特に、本実施の形態では配線コード２３の露出が全くないので、外観が向上し、配線コード２３が踏まれたり引っ掛けられたりするおそれもなく保護される。また、演奏の邪魔にもならず、支柱部２０を縮めても配線コード２３が溜まることがない。
【００１９】
特に、下ポール２１が上ポール２２に内装され、両者の摺動によって支柱部２０が伸縮するので、構成が簡単である。なお、配線コード２３に、音響信号を伝えるためのコードも含まれるとすれば、音響信号用のコードについても外部への露出を少なくすることができる。しかし、配線コード２３は電源供給専用であってもよい。なお、配線コード２３は全体がカール部２３ａとなっていてもよい。なお、カール部２３ａは、最も延びた状態でも下ポール２１及び上ポール２２の少なくとも一方の内部空間Ｓにだけ延在するように配設されてもよい。
【００２０】
ところで、音響変換部はスピーカ装置ＳＰであるので、放音位置を可変にすることができる。なお、音響変換部は、音響と信号とを変換する機能を有すればよく、例えば、主としてマイクとして利用されるものであってもよい。
【００２１】
（第２の実施の形態）
第１の実施の形態では、支柱部２０は、真直部分を伸縮可能な構成であった。これに対し本発明の第２の実施の形態では、支柱部２０は、支柱とそれに対する固定位置が可変のアーム（腕部）とを有する。
【００２２】
図３は、第２の実施の形態に係る音響変換部スタンドを含むスピーカシステムの側面図である。スタンド１０は、脚部１２と支柱部２０とを有する。支柱部２０は、ポール２４及びアーム２５を有し、ポール２４の下端部が脚部１２に固定されている。スピーカ装置ＳＰ及び照明１３はアーム２５に取り付けられている。アーム２５は固定部２６を有し、固定部２６によってアーム２５がポール２４に固定されている。
【００２３】
図４（ａ）は、ポール２４の上端部近傍の縦断面図である。図４（ｂ）は、図４（ａ）のＡ−Ａ線に沿う断面図である。ポール２４は全長に亘って管状部２４ｃとなっており、管状部２４ｃの内側（内周面２４ａの内側）に内部空間Ｓ１が形成される。ポール２４の上端部の突部２４ｂにはローラ２８の回動軸２７が軸支され、突部２４ｂに対してローラ２８が回動自在になっている。
【００２４】
一方、アーム２５も管状に構成され、その内側に内部空間Ｓ２が形成される。アーム２５には穴２５ａが形成されている。配線コード２３は、電源供給部１４から、ポール２４の内部空間Ｓ１を通り、ポール２４の上側の開口から出てローラ２８で折り返されてアーム２５の穴２５ａを通じてアーム２５の内部空間Ｓ２に入り、スピーカ装置ＳＰに接続されている。このように、主としてポール２４の内部空間Ｓ１、ローラ２８の外周面、及びアーム２５の内部空間Ｓ２により、配線経路が構成される。配線コード２３のカール部２３ａはポール２４の内部空間Ｓ１に配設される。
【００２５】
図４（ｂ）に示すように、アーム２５の固定部２６は、ポール２４の外周を覆う断面欠円状の締め付け面２６ｂとスリット２６ａとを有する。固定部２６の締め付け面２６ｂにポール２４を挿通し、締結具１９でスリット２６ａの間隔を短くすることで固定部２６がポール２４を締め付けた状態でポール２４に固定される。締結具１９を緩めてスリット２６ａの間隔を広くすると、ポール２４に対して固定部２６が上下方向に摺動自在となり、任意の位置で固定できる。
【００２６】
従って、アーム２５はポール２４に対して上下方向に平行移動可能である。アーム２５を下降させると、アーム２５が配線コード２３を下方に引っ張るので、ローラ２８が図４（ａ）の反時計方向に回転し、ポール２４側の配線コード２３がローラ２８のある上方へ引っ張られる。すると、内部空間Ｓ１にあるカール部２３ａが延びる。アーム２５を上昇させると動きは逆となり、ローラ２８が時計方向に回転してカール部２３ａが縮む。すなわち、アーム２５を上げ下げすることで配線経路の全長が変化し、それに応じて配線コード２３はカール部２３ａが伸縮して全長を変化させる。主として締結具１９、固定部２６及びローラ２８が、配線経路の長さＬ０を変更可能な「可変手段」となる。
【００２７】
なお、アーム２５の下限位置を規制する規制部をポール２４に設けてもよい。アーム２５の下限位置が規制されるようにした場合、カール部２３ａは、最も延びるときでもポール２４の内部空間Ｓ１内に位置するように配設するのが望ましい。
【００２８】
本実施の形態によれば、配線コード２３の外部への露出を少なくしつつスピーカ装置ＳＰの位置（高さ）調整を可能にすることに関し、第１の実施の形態と同様の効果を奏することができる。また、アーム２５のポール２４に対する固定位置を変化させることで配線経路の長さを変化させることができ、ポール２４自体は摺動による伸縮をしないので、ポール２４の設計の自由度が高くなる。
【００２９】
なお、配線コード２３のカール部２３ａはポール２４の内部空間Ｓ１にのみ配設されるとした。しかし、ローラ２８と係合する範囲はカール部とならないようにして、アーム２５の内部空間Ｓ２にもカール部を配設してもよい。あるいは、内部空間Ｓ１でなく内部空間Ｓ２にだけカール部を配設してもよい。なお、配線コード２３は、ポール２４の上端部近傍のローラ２８で方向を変えるよう折り返されるとしたが、ローラ２８を用いることは必須でない。例えば、回転しなくても滑りのよい部材を用いて配線コード２３を折り返すようにしてもよい。
【００３０】
なお、第１、第２の実施の形態においては、配線コード２３は音響信号用のコードを含むとしたが、これに限らない。例えば、図５に変形例を示すように、支柱部２０において、電源供給部１４よりも高い位置に接続部２９を設け、接続部２９に音響信号伝送用コード３０を接続してもよい。この場合、カール部２３ａを有するのは電源供給用の配線コード２３だけとして、音響信号伝送用コード３０はカール部を有しない構成としてもよい。
【００３１】
なお、上記各実施の形態において、配線コード２３の外部への露出を極力少なくする観点からは、下ポール２１、上ポール２２、ポール２４は、全長に亘って管状に形成されることは必須でなく、少なくとも一部が管状であってもよい。その場合、管状部の内部空間が配線経路の少なくとも一部を構成し、配線コード２３のカール部２３ａが管状部の内部空間に配設されるようにすればよい。
【００３２】
なお、上記各実施の形態では、配線経路の長さを変更するとスピーカ装置ＳＰの高さが変化するようにしたが、これに限らない。例えば、管状部の延設方向を上下方向以外とし、スピーカ装置ＳＰの位置が水平方向や斜め方向に変化するようにしてもよい。
【００３３】
なお、下ポール２１に対する上ポール２２の固定のための構成（締結具１８等）や、アーム２５のポール２４に対する固定のための構成（締結具１９、固定部２６等）は例示であり、他の締結手法を採用してもよい。
【００３４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３５】
１０  スタンド（音響変換部スタンド）、  １４  電源供給部、  １８、１９  締結具（可変手段）、  ２０  支柱部（支持部）、  ２２  上ポール（第２部材）、  ２１  下ポール（第１部材）、  ２１ｃ、２２ｃ  管状部、  ２３  配線コード、  ２３ａ  カール部、  ２４  ポール（支柱）、  ２５  アーム（腕部）、  ３０  音響信号伝送用コード、  ＳＰ  スピーカ装置（音響変換部）、  Ｓ、Ｓ１、Ｓ２  内部空間、  Ｌ０  長さ
【図１】
2018078418.tif 000003
【図２】
2018078418.tif 000004
【図３】
2018078418.tif 000005
【図４】
2018078418.tif 000006
【図５】
2018078418.tif 000007